(57)【要約】【課題】始動条件の成立に伴い図柄変動表示器に図柄変動遊技が実行され、所定時間経過後に該図柄変動表示器に停止表示された図柄が所定態様を形成するものであった場合に大当たりが発生し特別遊技状態となるパチンコ遊技機であって、遊技者の大当たり発生への期待感を持続させ増大させる。【解決手段】始動条件の成立に伴い乱数が取得され、該乱数を解析することにより選定された変動態様により図柄変動表示器２に図柄変動遊技が実行され、所定時間経過後の図柄変動遊技が終了された際に該図柄変動表示器に停止表示された図柄が所定態様を形成するものであった場合に大当たりが発生するパチンコ遊技機において、乱数の解析により選定された変動態様により図柄変動表示器で図柄変動遊技が実行されるに必要な図柄変動時間の目安を遊技者に表示する変動時間表示手段を備えた。【選択図】図２
2005118386.tif 000002
【特許請求の範囲】
【請求項１】
始動条件の成立に伴い乱数が取得され、該乱数を解析することにより選定された変動態様により図柄変動表示器に図柄変動遊技が実行され、所定時間経過後の図柄変動遊技が終了された際に該図柄変動表示器に停止表示された図柄が所定態様を形成するものであった場合に大当たりが発生するパチンコ遊技機において、
乱数の解析により選定された変動態様により図柄変動表示器で図柄変動遊技が実行されるに必要な図柄変動時間の目安を遊技者に表示する変動時間表示手段を備えたことを特徴とするパチンコ遊技機。
【請求項２】
変動時間表示手段に表示される図柄変動時間の目安を図柄変動遊技の進行或いは経過時間に応じて可変表示すると共に、図柄変動遊技の終了或いは図柄変動時間の到来により該可変表示が終了するようにした請求項１に記載のパチンコ遊技機。
【請求項３】
図柄変動遊技が実行される図柄変動表示器に図柄変動時間の目安を表示するようにした請求項１または２に記載のパチンコ遊技機。
【請求項４】
図柄変動中に成立した始動条件の個数を表示する保留表示部に図柄変動時間の目安を表示するようにした請求項１または２に記載のパチンコ遊技機。
【発明の詳細な説明】
【技術分野】
【０００１】
本発明は、始動条件の成立に伴い乱数が取得され、該乱数を解析することにより選定された変動態様により図柄変動表示器に図柄変動遊技が実行され、所定時間経過後の図柄変動遊技が終了された際に該図柄変動表示器に停止表示された図柄が所定態様を形成するものであった場合に大当たりが発生し特別遊技状態となるパチンコ遊技機に関するものである。
【背景技術】
【０００２】
第１種パチンコ遊技機は、周知のように、遊技盤に少なくとも始動口と図柄変動表示器と可変入賞装置が設けられ、遊技球が始動入賞口に入賞すると該図柄変動表示器の表示図柄が変動を開始し、所定時間経過後にその図柄が左列，右列，中列の順に変動停止し、その停止図柄が所定の確率（１／３００程度）で例えば「２２２」，「７７７」，「☆☆☆」のように所定態様を形成するものであった場合に大当たりが発生し、特別遊技状態となって可変入賞装置が繰り返し開成状態となり遊技者にとって有利な状態に変換されるものである。
【０００３】
また、従来から第１種パチンコ遊技機では、遊技盤上に設けられた４個のランプからなる保留表示装置が設けられ、上記図柄変動表示器の表示図柄が変動中に始動口に打球が入賞し始動条件が成立した場合に、その変動終了後にまた図柄変動遊技を開始させるためにその始動条件の成立が記憶されるようにしている。そして、４個のランプのうちの点灯しているランプの数によって遊技者は変動保留された始動条件の個数を知ることができ、図柄変動の終了後にその変動保留数に従い図柄変動遊技が実行され、実行されるに従ってランプの点灯数が少なくなるようにしている。
【０００４】
また、下記特許文献１に示されたパチンコ遊技機は、図柄変動遊技を開始させるための始動条件である始動口への入賞個数がインジケータに表示されるようにしたものであり、下記特許文献２に示されたパチンコ遊技機は、大当たり遊技の開始からの経過時間がタイマにより計測され、その経過時間を表示するとともにその経過時間の大小により遊技者にとって有利または不利となるモードに変化するようにしたものである。
【特許文献１】特開２００１−１４９５７８号公報
【特許文献２】特開２００２−３５５３９４号公報
【発明の開示】
【発明が解決しようとする課題】
【０００５】
ところで、上記図柄変動表示器の変動表示は、左列，右列，中列の順に停止するが、左列と右列が同じ図柄で停止した場合は、俗に「リーチ」と称され、中列が一旦違う図柄に停止しても再び変動して同じ図柄で停止し大当たりを発生させたり、或いはまた違う図柄に停止したりし、遊技者の期待感を持続させるような表示がなされる。
また、図柄変動表示器の変動表示が一旦はハズレ態様で停止しても、再び変動が開始され大当たりが発生することもあり、遊技者に期待感を持続させるなど、今日のパチンコ遊技機では図柄変動態様が多種多様に設定されている。
【０００６】
ところが上記のように一旦はハズレ態様で停止する表示態様であると、ハズレ態様で停止した際に遊技者はハズレが確定したものと思ってしまい、その遊技台を離れてしまうことがあり、その後で図柄が再変動して大当たりが発生することがあり得るので、そうであると遊技者が受けるべき利益が損なわれことがあり、混乱を招くおそれがあった。
本発明はこのような課題を解決し得るパチンコ遊技機を提供しようとするものである。
【課題を解決するための手段】
【０００７】
そのために本発明は、始動条件の成立に伴い乱数が取得され、該乱数を解析することにより選定された変動態様により図柄変動表示器に図柄変動遊技が実行され、所定時間経過後の図柄変動遊技が終了された際に該図柄変動表示器に停止表示された図柄が所定態様を形成するものであった場合に大当たりが発生するパチンコ遊技機において、乱数の解析により選定された変動態様により図柄変動表示器で図柄変動遊技が実行されるに必要な図柄変動時間の目安を遊技者に表示する変動時間表示手段を備えたことを特徴とする。
【０００８】
また本発明は上記パチンコ遊技機において、変動時間表示手段に表示される図柄変動時間の目安を図柄変動遊技の進行或いは経過時間に応じて可変表示すると共に、図柄変動遊技の終了或いは図柄変動時間の到来により該可変表示が終了するようにしたことを特徴とする。
【０００９】
また本発明は上記パチンコ遊技機において、図柄変動遊技が実行される図柄変動表示器に図柄変動時間の目安を表示するようにしたことを特徴とする。
【００１０】
また本発明は上記パチンコ遊技機において、図柄変動中に成立した始動条件の個数を表示する保留表示部に図柄変動時間の目安を表示するようにしたことを特徴とする。
【発明の効果】
【００１１】
図柄変動表示器で図柄変動遊技が実行される際にその図柄変動時間の目安が表示されることから、遊技者はその時間を見ることでその図柄変動遊技が終わる時期を知ることができ、途中で遊技台を離れてしまうようなことがなくなる。また、その図柄変動時間の目安表示によって遊技者は期待感をさらに持続させ、パチンコ遊技の興趣を増大させることができる。
【実施例１】
【００１２】
次にこの発明の実施例を図面に従い説明する。図１はこのパチンコ遊技機における遊技盤１の概略を示す正面図で、２は該遊技盤１上に設けられた液晶表示器からなる図柄変動表示器、３，４は両袖部普通入賞口、５はソレノイドにより一対の羽根が開閉動し得るように設けられたチューリップ型の始動口、６は天入賞口を示す。７は該始動口５の下方に設けられた大きな長方形状の大入賞口からなる可変入賞装置を示し、該可変入賞装置にはソレノイドの作動により開閉動する開閉扉８が設けられている。なお、９は図柄変動表示器２の右下隅部に設けた変動時間表示部、１０ａ〜１０ｄは図柄変動表示器２の下縁部に設けた保留表示部である。
【００１３】
図２は上記図柄変動表示器２を作動させる制御系の概略を示したブロック図で、１１はＣＰＵ，ＲＯＭ，ＲＡＭ等からなる主基板、１２はＣＰＵおよびＶＤＰ（ビデオディスプレイプロセッサ），画像ＲＯＭ，画像ＲＡＭ等からなる図柄制御基板で、該図柄制御基板は該主基板からの指令により画像ＲＯＭから図柄変動態様を選択し、図柄変動表示器２に画像表示すべき図柄変動態様を作成する。１３は始動口５に設けられ入賞球検出信号を主基板１１に送る入賞球検出スイッチである。なお、主基板１１にはその他の入賞球検出スイッチ、前記開閉扉８を開閉するソレノイド、音声制御基板、賞球払出基板等のその他の周辺機器（いずれも図示省略）が接続される。
【００１４】
また、主基板１１は、入賞球検出スイッチ１３からの入賞球検出信号を受けて乱数を取得しその乱数を解析することにより「大当たり」または「ハズレ」を決定する当否判定手段と、その乱数を解析することにより図柄変動表示器２に表示すべき図柄変動態様を選定する図柄変動態様選定手段と、その当否情報および変動態様選定情報等を記憶する情報記憶手段と、大当たり動作制御手段、等を夫々ＲＯＭに格納されたプログラムをＣＰＵに読み込むことにより具備する。
【００１５】
次にこのパチンコ遊技機における上記特定時特別演出制御手段の作動を図３，図４のフローチャートに従い説明する。図３は始動条件を獲得するためのサブルーチンで、始動口５に遊技球が入賞するとステップａからステップｂに移行することで乱数カウンタより乱数が取得される。そして、ステップｃにて該乱数を解析することにより大当たりまたはハズレの当否判定をするとともに図柄変動態様を選択し、ステップｄにてこれらの遊技情報を記憶する。
【００１６】
また、図４に示した図柄変動表示ルーチンでは、ステップｇにて図柄変動表示器２が図柄変動表示中であるかどうかを判別し、図柄変動表示中でなければステップｈに移行し、前記ステップｄにて記憶された図柄変動態様を前記図柄制御基板１２にて作成させ図柄変動表示器２に図柄変動を開始させるとともに、前記変動時間表示部９にその図柄変動表示に要する時間を表示する。この表示は図２に例示したように図柄変動表示中にその残り時間を秒数により表示することができる。そして、図柄変動遊技の終了或いは図柄変動時間の到来によりその残り時間の可変表示が終了する。このため遊技者は、この表示を見ておれば、この図柄変動の終了時期を知ることができ、変動の途中でハズレが確定したものと思って遊技台を離れてしまうようなことをなくすことができる。
【００１７】
また、請求項４に記載したパチンコ遊技機は、図柄変動中に成立した始動条件の個数を表示する保留表示部に図柄変動時間の目安を表示するものである。図５〜図８はその表示例を示したもので、図５に示した保留表示部１０ａ〜１０ｄは点灯することにより保留個数を知る（図５では右側の表示部１０ｄのみが消灯していることから保留個数が３個であることが分かる）ことができるとともに、点灯した各表示部にその保留中の図柄変動の図柄変動時間が数字（秒数）によって表示される。そして、図５の表示状態では左側の表示部１０ａの数字が変動の当初では（イ）に示したように２０秒であったものが変動が開始されてから時間が経つにつれて１秒ずつ減ってゆき（ロ）に示したように１５秒になり、さらに０秒となることで図柄変動が終了しこの表示部１０ａも消灯することとなる。
【００１８】
また、図６に示した表示例は同様に変動保留数は３個で、その表示部１０ｂについては「？」が表示されることにより、この表示部１０ｂに保留された図柄変動についてはその変動表示時間を知ることができないようにしている。これによってこの保留は通常とは異なりむしろ遊技者の期待感を高揚させることもできる。
【００１９】
また、図７に示した表示例は同様に変動保留数は４個で各表示部に図柄変動時間が数字で表示され、表示部１０ａについて図柄変動表示が開始された結果（ホ）（ヘ）に示したように残り時間５秒になったときに（ト）に示したように突然２０秒が加算されてさらに図柄変動が継続されるようにしている。このように表示される図柄変動時間を途中で変動させることによっても遊技者の期待感を持続させ高揚させることができる。
【００２０】
また図８に示した表示例は、例えば暖色系は変動時間が長く寒色系は短いものとするなど、変動保留中の表示を色分けすることによって図柄変動時間を遊技者に推測させるものである。また、図柄変動時間が経過するに従って（リ）（ヌ）に示したようにその表示部１０ｂの表示サイズを短くすることにより遊技者に残り時間の目安が分かるようにしたものである。このように本発明では種々の表示形態を採ることが可能である。
【図面の簡単な説明】
【００２１】
【図１】本発明に係るパチンコ遊技機の実施形態を示す遊技盤の正面図。
【図２】本発明に係るパチンコ遊技機のブロック図。
【図３】本発明に係るパチンコ遊技機のフローチャート。
【図４】本発明に係るパチンコ遊技機のフローチャート。
【図５】本発明に係るパチンコ遊技機における図柄変動時間の表示例図。
【図６】本発明に係るパチンコ遊技機における図柄変動時間の表示例図。
【図７】本発明に係るパチンコ遊技機における図柄変動時間の表示例図。
【図８】本発明に係るパチンコ遊技機における図柄変動時間の表示例図。
【符号の説明】
【００２２】
１                    遊技盤
２                    図柄変動表示器
５                    始動口
７                    可変入賞装置
９                    変動時間表示部
１０ａ〜１０ｄ        保留表示部
１１                  主基板
１２                  図柄制御基板
【図１】
2005118386.tif 000003
【図２】
2005118386.tif 000004
【図３】
2005118386.tif 000005
【図４】
2005118386.tif 000006
【図５】
2005118386.tif 000007
【図６】
2005118386.tif 000008
【図７】
2005118386.tif 000009
【図８】
2005118386.tif 000010